【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
金属硫酸塩化合物および／または金属硫化物化合物に富む廃棄物を安定化するためのプロセスであって、 前記廃棄物をＣＯ２富化ガス混合物に曝露すること、 前記ＣＯ２富化ガス混合物を前記金属硫酸塩化合物および／または前記金属硫化物化合物と反応させること、ならびに、 ＣＯ２枯渇ガス混合物と、炭酸塩含有化合物と、精製金属、または、精錬もしくは精製のために好適な金属に富む化合物、硫酸、イオウ、硫化水素、二酸化イオウ、三酸化イオウおよび亜硫酸からなる群から選択される少なくとも１つの生成物とを形成することを含むプロセス。
【請求項２】
前記ＣＯ２富化ガス混合物が商業的ＣＯ２排出源および工業的ＣＯ２排出源の少なくとも１つに由来する、請求項１に記載のプロセス。
【請求項３】
前記ＣＯ２富化ガス混合物が１重量％超のＣＯ２を含む、請求項１に記載のプロセス。
【請求項４】
前記ＣＯ２富化ガス混合物が、ＣＯ２と、Ｏ２、Ｎ２および／またはＳＯ２の少なくとも１つとを含む、請求項１に記載のプロセス。
【請求項５】
前記ＣＯ２富化ガス混合物が、化石燃料に基づく水素製造設備、および、ＣＯ２を発生しているバイオマスエネルギー施設のうちの１つに由来する、請求項１に記載のプロセス。
【請求項６】
前記ＣＯ２富化ガス混合物が、発電所、石灰釜、セメント工場、炭化水素を燃料とする発電施設、暖房設備、天然ガス加工処理工場および合成燃料工場の少なくとも１つに由来する、請求項１に記載のプロセス。
【請求項７】
前記廃棄物が、表土、非鉱石岩石、低品位鉱石、尾鉱および湿式冶金残渣からなる群から選択される、請求項１に記載のプロセス。
【請求項８】
前記廃棄物が乾燥鉱山尾鉱および湿潤鉱山尾鉱の少なくとも１つである、請求項１に記載のプロセス。
【請求項９】
前記廃棄物が、黄鉄鉱、磁硫鉄鉱、白鉄鉱（ｍａｒｃａｓｉｔｅ）、硫砒鉄鉱、輝銀鉱、黄銅鉱、辰砂、方鉛鉱、輝水鉛鉱、硫鉄ニッケル鉱、鶏冠石、閃亜鉛鉱および輝安鉱の少なくとも１つを含む、請求項１に記載のプロセス。
【請求項１０】
前記精製金属が、鉛、亜鉛、銅および鉄からなる群から選択される少なくとも１つの高濃度金属および／または精製金属を含む金属に富む化合物である、請求項１に記載のプロセス。
【請求項１１】
前記廃棄物が、反応域においてＣＯ２富化ガス混合物に最初に曝露されるとき、実質的に標準温度と標準圧力（ＳＴＰ）である、請求項１に記載のプロセス。
【請求項１２】
前記反応は、ａ）約５００℃まで、ｂ）約４００℃まで、ｃ）約３００℃まで、ｄ）約２００℃まで、またはｅ）約１５０℃まで、の１つから選択される温度、かつ、ａ）約１０気圧まで、ｂ）約７気圧まで、ｃ）約５気圧まで、またはｄ）約２気圧まで、の１つから選択される圧力での、反応器または反応域における前記廃棄物および前記ＣＯ２富化ガス混合物の間における反応を含む、請求項１に記載のプロセス。
【請求項１３】
前記反応は、前記ＣＯ２富化ガス混合物と、前記金属硫酸塩化合物および／または前記金属硫化物化合物との間における反応を含み、ｉ）反応器またはｉｉ）反応域の１つにおいて生じ、かつ、前記反応域は、ｉ）原位置廃棄物処理場、および、ｉｉ）２つ以上の向流セルから選択される、請求項１に記載のプロセス。
【請求項１４】
金属硫酸塩化合物および／または金属硫化物化合物に富む廃棄物を安定化するためのプロセスであって、 （ａ）前記金属硫酸塩化合物および／または前記金属硫化物化合物を含む廃棄物を反応域においてＣＯ２富化ガス混合物と接触させて、反応混合物を製造すること； （ｂ）前記反応混合物から金属副生成物を回収すること；および （ｃ）硫酸、イオウ、硫化水素、二酸化イオウ、三酸化イオウおよび亜硫酸の１つまたは複数を前記反応混合物から分離および回収することを含むプロセス。
【請求項１５】
金属硫酸塩化合物および／または金属硫化物化合物に富む鉱山廃棄物および産業廃棄物を加工処理するための装置であって、（ａ）破砕または粉砕された、廃棄岩、乾燥尾鉱、湿潤尾鉱、鉱石備蓄物、あるいは、硫酸塩および／または硫化物に富む他の廃棄物の少なくとも１つを含む鉱山廃棄物および／または産業廃棄物を含む反応器／反応域；（ｂ）ＣＯ２富化ガス混合物の送達のための前記反応器／反応域内への供給ライン；（ｃ）水および他の反応物のための供給ライン；および（ｄ）固体および液体の反応生成物を分離するための手段を含む装置。
【請求項１６】
（ａ）水および他の反応物の温度を制御するための熱交換器； （ｂ）前記ＣＯ２富化ガス混合物の温度を低下または上昇させるための熱交換器； （ｃ）Ｈ２ＳＯ４を前記液体の反応生成物から分離する反応器； （ｄ）元素イオウを前記液体の反応生成物から製造する反応器； （ｅ）溶液中の高濃度金属または固体の金属生成物のどちらかを製造する精製装置； （ｆ）反応済みガス生成物の捕集を可能にする圧力放出システム； （ｇ）Ｈ２Ｓガス、ＳＯ２ガスまたはＳＯ３ガスを前記反応済みガス生成物から除くスクラバーの少なくとも１つを含む、請求項１５に記載の装置。
【請求項１７】
（ａ）硫酸（Ｈ２ＳＯ４）を液体の反応生成物から分離する反応器；（ｂ）元素イオウを液体の反応生成物から製造する反応器；（ｃ）溶液中の高濃度金属または固体の金属生成物のどちらかを製造する精製装置；（ｄ）様々なサイズの供給流由来の微粒子物質を製造することができる破砕および粉砕回路；（ｅ）硫化水素（Ｈ２Ｓ）ガス、二酸化イオウ（ＳＯ２）ガスまたは三酸化イオウ（ＳＯ３）ガスをいずれかの反応済みガス生成物から除くスクラバーの少なくとも１つを含む、請求項１５に記載の装置。
【請求項１８】
金属硫酸塩化合物および／または金属硫化物化合物に富む廃棄物を安定化するためのシステムで、原位置プロセスを含むために適合化され、反応域が、封じ込められた原位置廃棄物処理場であるシステムであって、 （ａ）不浸透性裏張り上のｉ）堆積およびｉｉ）山積みの１つに位置する、前記金属硫酸塩化合物および／または前記金属硫化物化合物に富む鉱山廃棄物および／または産業廃棄物の供給源； （ｂ）反応済み液体生成物を前記不浸透性裏張りから排水するための一連のパイプ／内張りされた溝； （ｃ）反応した液体生成物を貯蔵するための容器； （ｄ）注入ガスを閉じ込めるためのキャップ／カバー； （ｅ）ＣＯ２富化ガス混合物の供給源； （ｆ）水および他の反応物； （ｇ）水および反応物を前記堆積／山積みに分配するための、前記キャップ／カバーの下にあるパイプシステム；および （ｈ）ＣＯ２富化ガス混合物が、前記廃棄物、水および他の反応物と混合され得る、前記ＣＯ２富化ガス混合物を前記廃棄物の中に注入するためのパイプシステムを含むシステム。
【請求項１９】
前記反応域は、堆積／山積みからなり、かつ、反応が、ｉ）標準温度と標準気圧（ＳＴＰ）、ならびに、ｉｉ）約２５０℃までの高い温度および／または約５気圧までの高い圧力の１つで生じる、請求項１８に記載のシステム。
【請求項２０】
金属硫酸塩化合物および／または金属硫化物化合物に富む廃棄物を安定化するためのプロセスで、前記廃棄物を反応器／反応域においてＣＯ２富化ガス混合物に曝露することを含み、ただし、前記反応器／反応域が少なくとも２つの向流セルを含み、かつ、廃棄物、試薬および／または水が、連続している第１のセルの中に流れ、その後、（第１の方向で）前方に進み、一連の後続セルを通って最後のセルにまで達し、かつ、ＣＯ２富化ガス混合物が、第２の逆向き方向で、すなわち、ＣＯ２富化ガス混合物が前記最後のセルに入り、前記第１のセルにまで進むように前記第１の方向に対して対向流で流れるプロセスであって、ＣＯ２枯渇ガス混合物と、炭酸塩含有化合物と、精製金属、または、精錬もしくは精製のために好適な金属に富む化合物、硫酸、イオウ、硫化水素、二酸化イオウ、三酸化イオウおよび亜硫酸からなる群から選択される少なくとも１つの生成物とを形成するプロセス。
【請求項２１】
ＣＯ２を封鎖するためのプロセスであって、  金属硫酸塩化合物および／または金属硫化物化合物を含む物質を準備すること、  封鎖されるＣＯ２を含むＣＯ２富化ガス混合物に前記物質を曝露すること、  前記ＣＯ２富化ガス混合物を前記金属硫酸塩化合物および／または金属硫化物化合物に富む化合物と反応させること、ならびに、  ＣＯ２枯渇ガス混合物と、炭酸塩含有化合物と、精錬金属、または、精錬もしくは精製のために好適な金属に富む化合物、硫酸、イオウ、硫化水素、二酸化イオウ、三酸化イオウおよび亜硫酸からなる群から選択される少なくとも１つの生成物とを形成することを含むプロセス。
【手続補正２】
【補正対象書類名】明細書
【補正対象項目名】００１６
【補正方法】変更
【補正の内容】
【００１６】  本発明は、１つの態様において、硫酸塩および／または硫化物に富む鉱山廃棄物および産業廃棄物を、ＣＯ２富化ガス混合物を使用して加工処理するための手段であって、廃棄物のＡＲＤおよび／または金属浸出特性を除くか、または低下させ、かつ、同時に、ＣＯ２を封鎖する炭酸塩鉱物を製造するための手段を提供する。  別の態様において、硫酸塩および／または硫化物に富む廃棄物（金属硫化物鉱物を含む）を安定化するためのプロセスであって、廃棄物をＣＯ２富化ガス混合物に曝露すること、ＣＯ２富化ガス混合物を硫酸塩鉱物および／または金属硫化物鉱物と反応させること、ならびに、ＣＯ２枯渇ガス混合物と、炭酸塩含有化合物と、精製金属（または、精錬もしくは精製のために好適な金属に富む化合物）、硫酸、イオウ、硫化水素、二酸化イオウ、三酸化イオウおよび亜硫酸からなる群から選択される少なくとも１つの生成物とを形成することを含むプロセスが提供される。
【手続補正３】
【補正対象書類名】明細書
【補正対象項目名】００６７
【補正方法】変更
【補正の内容】
【００６７】  発明の名称（本出願の最初の頁の冒頭に示される）および要約書（本出願の最後に示される）のどちらも、開示された発明（１つまたは複数）の範囲としていかなる点においても限定するものとして解釈してはならない。本出願の名称、および、本出願において設けられた節の見出しは便宜のためだけであり、いかなる点においても開示を限定するものとして解釈してはならない。
【手続補正４】
【補正対象書類名】明細書
【補正対象項目名】００８３
【補正方法】変更
【補正の内容】
【００８３】  本発明は、硫酸塩および／または硫化物に富む廃棄物（金属硫化物鉱物および／または金属硫酸塩を含む）を安定化するためのプロセスであって、廃棄物をＣＯ２富化ガス混合物に曝露すること、ＣＯ２富化ガス混合物を硫酸塩鉱物および／または金属硫化物鉱物と反応させること、ならびに、ＣＯ２枯渇ガス混合物と、炭酸塩含有化合物と、精製金属、または、精錬もしくは精製のために好適な金属に富む化合物、硫酸、イオウおよび亜硫酸からなる群から選択される少なくとも１つの生成物とを形成することを含むプロセスを提供する。
【手続補正５】
【補正対象書類名】明細書
【補正対象項目名】００９７
【補正方法】変更
【補正の内容】
【００９７】  図２は、ＣＯ２富化ガス混合物と、さらなる粉砕および／または破砕を必要とする鉱山廃棄産物および産業廃棄産物との反応を、Ｈ２ＳＯ４、Ｈ２Ｓ、ＳＯ２、ＳＯ３、元素イオウおよび金属生成物の回収、ならびに、炭酸塩鉱物でのＣＯ２の封鎖とともに示すブロックフロー図を例示する。このプロセスは、既存の廃棄物堆積３８を前処理することを除いて、図１のプロセスと同じである。この様式では、堆積３８からの固体廃棄物４０が、粉砕／破砕された廃棄物を形成する４２において粉砕および／または破砕される。粉砕／破砕された廃棄物が、上記のようなプロセスにおける反応器１８に供給される。
【手続補正６】
【補正対象書類名】明細書
【補正対象項目名】０１０４
【補正方法】変更
【補正の内容】
【０１０４】  １つの態様において、本発明は、硫酸塩および／または硫化物に富む廃棄物（硫酸塩鉱物および／または金属硫化物鉱物を含む）を安定化し、かつ、ＣＯ２を封鎖するためのプロセスであって、廃棄物をＣＯ２富化ガス混合物に曝露すること、ＣＯ２富化ガス混合物を硫酸塩鉱物および／または金属硫化物鉱物と反応させること、ならびに、ＣＯ２枯渇ガス混合物と、炭酸塩含有化合物と、精製金属、または、精錬もしくは精製のために好適な金属に富む化合物、硫酸、イオウ、硫化水素、二酸化イオウ、三酸化イオウおよび亜硫酸からなる群から選択される少なくとも１つの生成物とを形成することを含むプロセスを提供する。
【手続補正７】
【補正対象書類名】明細書
【補正対象項目名】０１１６
【補正方法】変更
【補正の内容】
【０１１６】  別の態様において、硫酸塩および／または硫化物に富む廃棄物（金属硫化物鉱物を含む）を安定化し、かつ、ＣＯ２を封鎖するためのプロセスで、廃棄物を反応器／反応域においてＣＯ２富化ガス混合物に曝露することを含み、ただし、反応器／反応域が少なくとも２つの向流セルを含み、かつ、廃棄物、試薬および／または水が、連続している第１のセルの中に流れ、その後、一連の後続セルを通って最後のセルにまで（第１の方向で）前方に進み、かつ、ＣＯ２富化ガス混合物が、第２の逆向き方向で、すなわち、ＣＯ２富化ガス混合物が最後のセルに入り、第１のセルにまで進むように第１の方向に対して対向流で流れるプロセスであって、ＣＯ２枯渇ガス混合物と、炭酸塩含有化合物と、精製金属、または、精錬もしくは精製のために好適な金属に富む化合物、硫酸、イオウ、硫化水素、二酸化イオウ、三酸化イオウおよび亜硫酸からなる群から選択される少なくとも１つの生成物とを形成することを含むプロセスが本明細書中に提供される。
【手続補正８】
【補正対象書類名】図面
【補正対象項目名】全図
【補正方法】変更
【補正の内容】
【図１】
2014193455.tif 000001
【図２】
2014193455.tif 000002
【図３】
2014193455.tif 000003
【図４】
2014193455.tif 000004
【図５】
2014193455.tif 000005